(57)【特許請求の範囲】
【請求項１】
取付対象物に固定されるハウジングと、前記ハウジングにより保持されるコンタクトとを備え、
前記ハウジングは、前記取付対象物に固定される取付ベース部と、前記取付ベース部より正面側に配置され、接続対象物を収容する収容空間を規定する収容枠部および底部を有する嵌合部と、前記嵌合部の前記底部に形成された貫通孔と、前記貫通孔の背面側の端部から前記ハウジングの側面側に向けて形成され前記貫通孔に連通するとともに前記ハウジングの側面側で外部に開口する配置空間とを有し、
前記コンタクトは、一部が前記貫通孔内に配置されるとともに一部が前記収容空間内に配置される第１部分と、前記第１部分に連なり前記配置空間内に少なくとも一部が配置される第２部分とを一体に有し、
前記貫通孔および前記配置空間は、前記第１部分を先頭にして前記コンタクトを前記ハウジングの側面から前記配置空間を通して前記ハウジング内に挿入することで、前記コンタクトを前記ハウジング内の所定位置に配置させることが可能な大きさで形成されていることを特徴とするコネクタ。
【請求項２】
前記コンタクトの前記第１部分は、前記貫通孔の縁部により、前記接続対象物を挿入する挿入方向に直交する方向への移動を規制されることを特徴とする請求項１に記載のコネクタ。
【請求項３】
前記コンタクトの前記第１部分および前記第２部分は、平板状に形成されていることを特徴とする請求項１または請求項２に記載のコネクタ。
【請求項４】
前記コンタクトの前記第２部分は、前記接続対象物を挿入する挿入方向に見た場合に、前記収容枠部より外側に位置する部分を有していることを特徴とする請求項１乃至請求項３のいずれか１項に記載のコネクタ。
【請求項５】
前記コンタクトの前記第２部分は、前記収容枠部より外側に位置する上部および下部に、前記挿入方向に沿って貫通形成されたボルト孔を有していることを特徴とする請求項４に記載のコネクタ。
【請求項６】
前記取付ベース部は、前記接続対象物を挿入する挿入方向に沿って貫通形成されたボルト孔を有し、
前記取付ベース部の前記ボルト孔は、前記挿入方向に見た場合に前記収容枠部より外側に形成されていることを特徴とする請求項１乃至請求項５のいずれか１項に記載のコネクタ。
【請求項７】
前記取付ベース部は、前記挿入方向に沿って貫通形成されたボルト孔を有し、
前記取付ベース部の前記ボルト孔は、前記挿入方向に見た場合に前記収容枠部より外側に形成され、
前記コンタクトの前記第２部分の前記ボルト孔と、前記取付ベース部の前記ボルト孔の少なくとも一部は、前記挿入方向に重なっていることを特徴とする請求項５に記載のコネクタ。
【請求項８】
前記貫通孔の縁部に対して前記コンタクトの前記第１部分を押し当てるスペーサ部材を更に備え、
前記嵌合部の前記底部には、前記スペーサ部材を正面側から着脱可能に保持するスペーサ保持部が形成されていることを特徴とする請求項１乃至請求項７のいずれか１項に記載のコネクタ。
【請求項９】
前記嵌合部の前記収容枠部の内側壁には、前記接続対象物の挿入をガイドするガイド部が形成されていることを特徴とする請求項１乃至請求項８のいずれか１項に記載のコネクタ。
【請求項１０】
前記嵌合部には、前記接続対象物を挿入する挿入方向に対向する前記取付ベース部の一部と協働して前記コンタクトの前記第２部分の前記挿入方向における移動を規制する移動規制部が形成されていることを特徴とする請求項１乃至請求項９のいずれか１項に記載のコネクタ。
【請求項１１】
前記取付ベース部には、前記ハウジングに前記コンタクトを着脱する際に前記コンタクトの前記第２部分をガイドするガイド部が形成されていることを特徴とする請求項１乃至請求項１０のいずれか１項に記載のコネクタ。
【請求項１２】
信号用コンタクトを更に備えていることを特徴とする請求項１乃至請求項１１のいずれか１項に記載のコネクタ。
【請求項１３】
請求項１乃至請求項１２のいずれか１項に記載のコネクタと、前記コネクタが取り付けられる収容ラックとを備えていることを特徴とするコネクタを備えた収容ラック。
【請求項１４】
前記コネクタが、複数設けられ、
前記複数のコネクタが、前記収容ラックの取付パネルに対してマトリクス状に取り付けられ、
２つの前記コネクタの前記コンタクト間を接続するブスバーを更に備えていることを特徴とする請求項１３に記載のコネクタを備えた収容ラック。
【請求項１５】
前記取付パネルに取り付けられた複数のコネクタが、前記ブスバーにより直列に接続されていることを特徴とする請求項１４に記載の収容ラック。
【請求項１６】
前記コネクタは、電線に結線された信号用コンタクトを更に備え、
前記複数のコネクタが、前記電線により直列に接続されていることを特徴とする請求項１３乃至請求項１５のいずれか１項に記載の収容ラック。
【発明の詳細な説明】
【技術分野】
【０００１】
本発明は、コネクタおよび収容ラックに関する。
【背景技術】
【０００２】
従来、図９に示すように、保護筐体１５０に固定され、保護筐体１５０に収容される物体１７０に固定されたプラグ側コネクタ１６０に嵌合するソケット側コネクタ１１０が知られている（例えば、特許文献１参照。）。
【０００３】
この従来のソケット側コネクタ１１０は、図１０に示すように、ハウジング１２０と、ハウジング１２０により保持されるソケット型電気コンタクト１３０と、ハウジング１２０に対して固定されソケット型電気コンタクト１３０の抜け出しを防止するネジ式の保持部材１８０とを備えている。
【０００４】
そして、図１０に示すように、ソケット型電気コンタクト１３０は、ソケット型電気コンタクト１３０のソケット部１３３を配置したハウジング１２０の正面側とは反対側のハウジング１２０の背面側からハウジング１２０内に挿入され、ソケット型電気コンタクト１３０に形成された基部１３４とハウジング１２０に形成された段差部１２６との間の係合、および、ハウジング１２０に対する保持部材１８０の固定により、ハウジング１２０に対して固定されている。
【先行技術文献】
【特許文献】
【０００５】
【特許文献１】特開２００８−２７６９９１号公報
【発明の概要】
【発明が解決しようとする課題】
【０００６】
ここで、一般に、ソケット側コネクタ１１０のようなコネクタでは、ソケット側コネクタ１１０に対して接続対象物（プラグ側コネクタ１６０）を挿入する関係上、ソケット部１３３側（ハウジング１２０の正面側）には作業スペースが必然的に確保されるものの、ソケット部１３３側とは反対側（ハウジング１２０の背面側）には作業スペースを確保するのが難しい場合がある。
【０００７】
そして、ソケット側コネクタ１１０のように、ソケット型電気コンタクト１３０をハウジング１２０の背面側から取り付ける構造を採用した場合、ソケット型電気コンタクト１３０に損傷等が生じた際に、ソケット側コネクタ１１０を取付対象物（保護筐体１５０）に取り付けた状態では、ハウジング１２０からソケット型電気コンタクト１３０のみを交換することが難しく、保護筐体１５０の構成等によっては、ソケット側コネクタ１１０自体を取付対象物（保護筐体１５０）から一旦取り外し、ソケット型電気コンタクト１３０を交換する必要があるという問題があった。
【０００８】
そこで、本発明は、従来の問題を解決するものであって、すなわち、本発明の目的は、取付対象物からコネクタを取り外すことなく、コンタクトの交換作業を簡便に達成し、装置の省スペース化を実現するコネクタおよび収容ラックを提供することである。
【課題を解決するための手段】
【０００９】
本発明のコネクタは、取付対象物に固定されるハウジングと、前記ハウジングにより保持されるコンタクトとを備え、前記ハウジングは、前記取付対象物に固定される取付ベース部と、前記取付ベース部より正面側に配置され、接続対象物を収容する収容空間を規定する収容枠部および底部を有する嵌合部と、前記嵌合部の前記底部に形成された貫通孔と、前記貫通孔の背面側の端部から前記ハウジングの側面側に向けて形成され前記貫通孔に連通するとともに前記ハウジングの側面側で外部に開口する配置空間とを有し、前記コンタクトは、一部が前記貫通孔内に配置されるとともに一部が前記収容空間内に配置される第１部分と、前記第１部分に連なり前記配置空間内に少なくとも一部が配置される第２部分とを一体に有し、前記貫通孔および前記配置空間は、前記第１部分を先頭にして前記コンタクトを前記ハウジングの側面から前記配置空間を通して前記ハウジング内に挿入することで、前記コンタクトを前記ハウジング内の所定位置に配置させることが可能な大きさで形成されていることにより、前述した課題を解決したものである。
【００１０】
また、前記コンタクトの前記第１部分は、前記貫通孔の縁部により、前記接続対象物を挿入する挿入方向に直交する方向への移動を規制されてもよい。
【００１１】
また、前記コンタクトの前記第１部分および前記第２部分は、平板状に形成されていてもよい。
【００１２】
また、前記コンタクトの前記第２部分は、前記接続対象物を挿入する挿入方向に見た場合に、前記収容枠部より外側に位置する部分を有していてもよい。
【００１３】
また、前記コンタクトの前記第２部分は、前記収容枠部より外側に位置する上部および下部に、前記挿入方向に沿って貫通形成されたボルト孔を有していてもよい。
【００１４】
また、前記取付ベース部は、前記接続対象物を挿入する挿入方向に沿って貫通形成されたボルト孔を有し、前記取付ベース部の前記ボルト孔は、前記挿入方向に見た場合に前記収容枠部より外側に形成されていてもよい。
【００１５】
また、前記コンタクトの前記第２部分の前記ボルト孔と、前記取付ベース部の前記ボルト孔の少なくとも一部は、前記挿入方向に重なっていてもよい。
【００１６】
また、前記貫通孔の縁部に対して前記コンタクトの前記第１部分を押し当てるスペーサ部材を更に備え、前記嵌合部の前記底部には、前記スペーサ部材を正面側から着脱可能に保持するスペーサ保持部が形成されていてもよい。
【００１７】
また、前記嵌合部の前記収容枠部の内側壁には、前記接続対象物の挿入をガイドするガイド部が形成されていてもよい。
【００１８】
また、前記嵌合部には、前記接続対象物を挿入する挿入方向に対向する前記取付ベース部の一部と協働して前記コンタクトの前記第２部分の前記挿入方向における移動を規制する移動規制部が形成されていてもよい。
【００１９】
また、前記取付ベース部には、前記ハウジングに前記コンタクトを着脱する際に前記コンタクトの前記第２部分をガイドするガイド部が形成されていてもよい。
【００２０】
また、前記コネクタは、信号用コンタクトを更に備えていてもよい。
【００２１】
また、本発明のコネクタを備えた収容ラックは、前記コネクタと、前記コネクタが取り付けられる収容ラックとを備えていることにより、前述した課題を解決したものである。
【００２２】
また、前記コネクタが、複数設けられ、前記複数のコネクタが、前記収容ラックの取付パネルに対してマトリクス状に取り付けられ、２つの前記コネクタの前記コンタクト間を接続するブスバーを更に備えていてもよい。
【００２３】
また、前記取付パネルに取り付けられた複数のコネクタが、前記ブスバーにより直列に接続されていてもよい。
【００２４】
また、前記コネクタは、電線に結線された信号用コンタクトを更に備え、前記複数のコネクタが、前記電線により直列に接続されていてもよい。
【発明の効果】
【００２５】
本発明では、ハウジングの側面側からコンタクトを挿抜することが可能であるようにコネクタを構成することにより、接続対象物との嵌合部が配置されたハウジングの正面側からコンタクトの挿抜作業を行うことが可能であるため、作業スペースを確保しやすく、コネクタを取付対象物に取り付けた状態でコンタクトの交換作業を簡便に達成でき、また、取付対象物の背面側に作業スペースを確保する必要がなく、装置の省スペース化を実現できる。
【図面の簡単な説明】
【００２６】
【図１】本発明の一実施例であるコネクタの使用態様図である。
【図２】図１の一部を拡大して示す斜視図である。
【図３】コネクタと電池側コネクタと電池側ブスバーとを示す斜視図である。
【図４】コネクタを示す斜視図である。
【図５】コネクタを分解して示す斜視図である。
【図６】コネクタと取付パネルとを断面視してコンタクトの挿入脱着方法を示す説明図である。
【図７】本発明の一実施例におけるコネクタ配置およびブスバーによるコネクタ間の接続態様を示す説明図である。
【図８】コネクタ配置およびブスバーによるコネクタ間の接続態様の比較例を示す説明図である。
【図９】従来のソケット側コネクタの使用態様図である。
【図１０】従来のソケット側コネクタを示す一部断面図である。
【発明を実施するための形態】
【００２７】
以下、本発明の一実施例であるコネクタを図面に基づいて説明する。
【００２８】
なお、以下の説明では、コネクタに対して電池側コネクタ（接続対象物）を挿入する方向を第１方向（挿入方向）Ｘ、ハウジングに対するコンタクトの挿抜方向（および、ハウジングに対する一対のコンタクトの並列配置方向）を第２方向Ｙ、第１方向Ｘおよび第２方向Ｙに直交する方向を第３方向Ｚとして規定する。なお、以下に示す実施例では、第１方向Ｘに対して第２方向Ｙが直交するものとして説明するが、第２方向Ｙが第１方向Ｘに直交しないものとして構成してもよい。また、以下に示す実施例では、収容ラックに対してコネクタを取り付けた状態で、第２方向Ｙが水平方向に一致し、第３方向Ｚが鉛直方向に一致しているが、実施態様はこれに限定されない。
【実施例】
【００２９】
本実施例のコネクタ１０は、電源供給用コネクタであり、図１乃至図３に示すように、収容ラック５０の取付パネル（取付対象物）５１に取り付けられ、電池ユニット７０を収容ラック５０に対して挿入した際に、電池ユニット７０に取り付けられた電池側コネクタ６０に嵌合するものである。
【００３０】
各コネクタ１０は、図４や図５に示すように、収容ラック５０の取付パネル５１に背面側を固定されるハウジング２０と、ハウジング２０により保持される一対のコンタクト３０と、ハウジング２０に取り付けられ信号用コンタクト（図示しない）を保持する信号用ハウジング４０と、ハウジング２０に取り付けられるナット４１と、ハウジング２０に取り付けられるガスケット４２と、ハウジング２０に取り付けられるスペーサ部材４３と、図２に示すように、ハウジング２０を取付パネル５１に固定する第１のボルト４４と、ハウジング２０およびコンタクト３０およびブスバー５４を取付パネル５１に固定する第２のボルト４５とを備えている。
【００３１】
ハウジング２０は、図４乃至図６に示すように、収容ラック５０に固定される取付ベース部２１と、取付ベース部２１より正面側に配置される嵌合部２２と、第１方向Ｘに沿って嵌通形成され信号用ハウジング４０を保持する信号用ハウジング保持部２５とを有している。
【００３２】
取付ベース部２１は、図４や図５に示すように、第１方向Ｘに見た場合に、収容枠部２２ａ（嵌合部２２）の外側に位置する部分を有し、当該部分に、第１のボルト４４を嵌通させる第１のボルト孔２１ａと、第２のボルト４５を嵌通させる第２のボルト孔２１ｂと、ハウジング２０に対するコンタクト３０の着脱時にコンタクト３０の第２部分３２をガイドするガイド部２１ｃとを有している。
【００３３】
嵌合部２２は、図４に示すように、収容枠部２２ａおよび底部２２ｂと、収容枠部２２ａおよび底部２２ｂにより規定されハウジング２０の正面側に開口し、電池側コネクタ６０を正面側から挿入させて収容する収容空間２２ｃと、底部２２ｂに形成されスペーサ部材４３を保持するスペーサ保持部２２ｄと、収容枠部２２ａの内側壁に形成され電池側コネクタ６０をガイドするガイド部２２ｅと、第１方向Ｘに対向する取付ベース部２１の一部分と協働してコンタクト３０の第２部分３２の第１方向Ｘにおける移動を規制する移動規制部２２ｆとを有している。
【００３４】
ハウジング２０は、図６に示すように、第１方向Ｘに沿って嵌合部２２の底部２２ｂに貫通形成された貫通孔２３と、取付ベース部２１と嵌合部２２との間に形成され、貫通孔２３の背面側の端部からハウジング２０の側面側に向けて形成され貫通孔２３に連通するとともにハウジング２０の側面側で外部に開口する配置空間２４とを更に有している。
【００３５】
貫通孔２３および配置空間２４は、第１部分３１を先頭にしてコンタクト３０をハウジング２０の側面から配置空間２４を通してハウジング２０内に挿入することで、コンタクト３０をハウジング２０内の所定位置に配置させることが可能な大きさ、位置、形状を有している。
【００３６】
コンタクト３０は、電源供給用のコンタクトであり、コネクタ１０と電池側コネクタ６０との嵌合時に、電池側コネクタ６０の電池側コンタクト（図示しない）に電気的に接続されるものである。コンタクト３０は、図４に示すように、ハウジング２０に対して、第２方向Ｙに並列して２つずつ配置されている。収容ラック５０に対して複数取り付けられたコネクタ１０の各コンタクト３０は、図１や図７に示すように、接続部材としてのブスバー５４により相互に接続されており、結果として、各コネクタ１０は、ブスバー５４により直列に接続されている。
【００３７】
コンタクト３０は、非弾性の導電性金属（タフピッチ銅、純度９９％程度の銅）から形成され、それぞれ同一形状を有している。本実施例では、コンタクト３０は、純銅の導電率を１００％とすると５０％以上の導電率を有する。コンタクト３０は、金属板を所定形状に打抜き加工した後に所定箇所に曲げ加工を施すことにより形成され、平面上に展開した場合に重複する部分の無い形状を有している。
【００３８】
コンタクト３０は、図４や図５に示すように、平板状に形成された第２部分３２と、第２部分３２の長手方向の中央において第２部分３２に対して垂直に立設した平板状の第１部分３１とを有している。
【００３９】
コンタクト３０の第１部分３１は、図４や図６に示すように、第１方向Ｘに沿って延在し、コンタクト３０をハウジング２０に対して組み付けた状態で、一部が貫通孔２３内に配置されるとともに、一部が収容空間２２ｃ内に配置されている。収容空間２２ｃ内に位置する第１部分３１は、電池側コネクタ６０の電池側コンタクト（図示しない）に接触する接触部として機能する。
【００４０】
コンタクト３０の第２部分３２は、図４や図６に示すように、コンタクト３０をハウジング２０に対して組み付けた状態で、一部が配置空間２４内に配置されている。第２部分３２は、第１方向Ｘに見た場合に、収容枠部２２ａ（嵌合部２２）より外側に第３方向Ｚの両側に向けて突出する部分を有し、当該部分に、第２のボルト４５を嵌挿させるボルト孔３２ａを有している。ボルト孔３２ａは、図４に示すように、第３方向Ｚにおける第２部分３２の両端にそれぞれ形成され、コンタクト３０をハウジング２０に対して組み付けた状態で、取付ベース部２１に形成された第２のボルト孔２１ｂに第１方向Ｘに重なる位置に形成されている。本実施例では、このボルト孔３２ａの周辺部分が、ブスバー５４との接続部として機能する。
【００４１】
信号用ハウジング４０は、ハウジング２０に形成された信号用ハウジング保持部２５に対して、ハウジング２０の背面側から挿入され、信号用ハウジング４０に形成された取付バネ部４０ａにより、ハウジング２０に対して係止されている。信号用ハウジング４０は、図４に示すように、一部がハウジング２０の収容空間２２ｃ内に位置している。なお、図２に示す符号５５は、各コネクタ１０の信号用コンタクト（図示しない）間を接続する信号線（電線）である。
【００４２】
スペーサ部材４３は、外周面に溝を有するスプリングピンとして構成され、図４や図５に示すように、ハウジング２０のスペーサ保持部２２ｄに対してハウジング２０の正面側から着脱可能に取り付けられ、貫通孔２３の縁部に対してコンタクト３０の第１部分３１を第２方向Ｙに向けて押し当てており、これにより、貫通孔２３と第１部分３１との間のガタつきが防止される。
【００４３】
第１のボルト４４は、図２に示すように、ハウジング２０に形成された第１のボルト孔２１ａと、取付パネル５１に形成されたボルト孔（図示しない）とに対して、ハウジング２０の正面側から嵌通され、ハウジング２０を取付パネル５１に固定する。
【００４４】
第２のボルト４５は、図２に示すように、ハウジング２０に形成された第２のボルト孔２１ｂと、コンタクト３０の第２部分３２に形成されたボルト孔３２ａと、ブスバー５４に形成されたボルト孔（図示しない）と、取付パネル５１に形成されたボルト孔（図示しない）とに対して、ハウジング２０の正面側から嵌挿され、ハウジング２０およびコンタクト３０およびブスバー５４を取付パネル５１に固定する。
【００４５】
収容ラック５０は、図１や図２に示すように、複数のコネクタ１０が取り付けられる取付パネル５１と、電池ユニット７０を収容する複数の電池ユニット収容部５３を区画するフレーム５２とを有している。電池ユニット７０は、収容ラック５０に対する挿入時に、収容ラック５０のフレーム５２によりガイドされ、収容ラック５０に対する収容時には、収容ラック５０のフレーム５２により支持される。
【００４６】
電池側コネクタ６０は、電池ユニット７０のケーシング７１に取り付けられ、電池ユニット７０を収容ラック５０に挿入した際に、収容ラック５０に取り付けられたコネクタ１０に嵌合し、電池ユニット７０に内蔵されバッテリ（２次電池）７２に接続された電池側ブスバー７３と、コンタクト３０との間を電気的に接続するものである。電池側コネクタ６０は、図３に示すように、少なくとも第２方向Ｙに移動可能な状態でケーシング７１に取り付けられる第１の電池側ハウジング６１と、第１の電池側ハウジング６１に対して相対的に第２方向Ｙにスライド可能に取り付けられた第２の電池側ハウジング６２と、第１の電池側ハウジング６１および第２の電池側ハウジング６２により構成されたコンタクト収容部（図示しない）に収容される電源供給用の電池側コンタクト（図示しない）とを備えている。
【００４７】
つぎに、コンタクト３０の交換方法について、以下に説明する。
【００４８】
ここで、本実施例のように電源供給用として用いられるコネクタ１０では、大電流を流すことによる発熱等に起因してコンタクト３０に損傷が生じ、コンタクト３０の途中交換を必要とする場合があり、本実施例におけるコネクタ１０では、以下の手順により、コンタクト３０の交換を行う。
【００４９】
まず、第１のボルト４４を取り外すことなくハウジング２０と取付パネル５１とを固定したままの状態で、ハウジング２０およびコンタクト３０およびブスバー５４を取付パネル５１に固定する第２のボルト４５を、ハウジング２０の正面側から取り外す（第１の手順）。
【００５０】
次に、ハウジング２０からスペーサ部材４３を、ハウジング２０の正面側から取り外す（第２の手順）。なお、第１の手順と第２の手順の順番は、上記の逆でもよい。
【００５１】
ここで、第１の手順および第２の手順の後の状態では、コンタクト３０は、第１部分３１を、貫通孔２３の縁部により第２方向Ｙおよび第３方向Ｚに移動規制され、第２部分３２を、取付ベース部２１および移動規制部２２ｆにより第１方向Ｘに移動規制され、結果としてハウジング２０により遊嵌状に保持され、ハウジング２０から脱落することはない。
【００５２】
次に、図６に示すように、ハウジング２０に対してコンタクト３０を第２方向Ｙの外側に向けてスライドさせることにより、貫通孔２３からコンタクト３０の第１部分３１を抜き出すと同時に配置空間２４からコンタクト３０の第２部分３２を抜き出し、ハウジング２０の側面で外部に開口する配置空間２４からコンタクト３０を取り外す（第３の手順）。
【００５３】
次に、新たなコンタクト３０を、第１部分３１を先頭にして配置空間２４からハウジング２０内に挿入することで、コンタクト３０をハウジング２０内の所定位置に配置する（第４の手順）。
【００５４】
ここで、第４の手順の後の状態では、コンタクト３０は、第１部分３１を、貫通孔２３の縁部により第２方向Ｙおよび第３方向Ｚに移動規制され、第２部分３２を、取付ベース部２１および移動規制部２２ｆにより第１方向Ｘに移動規制され、結果としてハウジング２０により遊嵌状に保持され、ハウジング２０から脱落することはない。
【００５５】
次に、第２のボルト４５を用いて、ハウジング２０およびコンタクト３０およびブスバー５４を取付パネル５１に固定する（第５の手順）。
【００５６】
最後に、スペーサ部材４３をハウジング２０に形成されたスペーサ保持部２２ｄに取り付ける（第６の手順）。なお、第５の手順と第６の手順の順番は、上記の逆でもよい。
【００５７】
つぎに、本実施例における収容ラック５０に対するコネクタ１０の配置態様、および、ブスバー５４によるコネクタ１０間の接続態様について、本実施例の実施態様を示す図７、および、比較例の実施態様を示す図８に基づいて、以下に説明する。
【００５８】
まず、本実施例では、図７に示すように、第１方向Ｘに見た場合に、電池ユニット収容部５３が、３行×４列（第２方向Ｙ×第３方向Ｚ）のマトリクス状に区画され、また、これに伴い、各コネクタ１０が、取付パネル５１に対して３行×４列（第２方向Ｙ×第３方向Ｚ）のマトリクス状に取り付けられている（条件１）。なお、具体的な行数および列数は、上記に限定されない。
【００５９】
また、本実施例では、電池ユニット７０と電池ユニット収容部５３との組み合わせが限定されないことを目的に、すなわち、どの電池ユニット７０をどの電池ユニット収容部５３に収容してもよいように、全ての電池ユニット収容部５３、および、全てのコネクタ１０、および、全ての電池ユニット７０は、同一に構成されている（条件２）。
【００６０】
また、本実施例では、前述したように、各コネクタ１０が、ブスバー５４により直列に接続されている（条件３）。
【００６１】
そして、上記の条件１〜条件３を満たしつつ、ブスバー５４を用いて各コネクタ１０を直列に接続する場合、図７（または図８）に示すように、上方に位置するコネクタ１０の右側（または左側）のコンタクト３０と、下方に位置するコネクタ１０の左側（または右側）のコンタクト３０とを、ブスバー５４により斜めに接続することにより、第３方向Ｚに並列した複数のコネクタ１０を接続し、また、第２方向Ｙに沿って配置されるブスバー５４により、第２方向Ｙに隣接するコネクタ１０を接続することになる。
【００６２】
ここで、第３方向Ｚにおける各電池ユニット収容部５３の寸法Ｍ、および、第２方向Ｙにおける各電池ユニット収容部５３の寸法Ｌは、電池ユニット７０の第２方向Ｙの寸法および第３方向Ｚの寸法に応じて決定される。そのため、比較例の図８に示すように、ブスバー５４との接続部（本実施例ではコンタクト３０に形成されたボルト孔３２ａの周辺部分）を各コンタクト３０に１箇所ずつ設けた場合、第３方向Ｚにコネクタ１０を接続するブスバー５４（５４Ａ）の寸法と、第２方向Ｙにコネクタ１０を接続するブスバー５４（５４Ｂ）の寸法関係を調整するのが難しく、２種類の寸法のブスバーを必要とすることになる。
【００６３】
そこで、本実施例では、図７に示すように、各コンタクト３０に接続部を２箇所ずつ設け、当該２箇所の接続部を第３方向Ｚに並列させることにより、第３方向Ｚにコネクタ１０を接続するブスバー５４（５４Ａ）の必要寸法を調節し、第３方向Ｚにコネクタ１０を接続するブスバー５４（５４Ａ）の寸法と、第２方向Ｙにコネクタ１０を接続するブスバー５４（５４Ｂ）の寸法を同一にしている。
【００６４】
本発明では、ハウジング２０の側面側からコンタクト３０を挿抜することが可能であるようにコネクタ１０を構成することにより、電池側コネクタ（接続対象物）６０との嵌合部２２が配置されたハウジング２０の正面側からコンタクト３０の挿抜作業を行うことが可能であるため、作業スペースを確保しやすく、コネクタ１０を取付パネル（取付対象物）５１に取り付けた状態でコンタクト３０の交換作業を簡便に達成でき、また、取付パネル（取付対象物）５１の背面側に作業スペースを確保する必要がなく、装置の省スペース化を実現できる。
【００６５】
なお、上述した実施例では、コンタクトが、電源供給用コンタクトであるものとして説明したが、信号コンタクトとして用いてもよい。
【符号の説明】
【００６６】
１０    ・・・  コネクタ
２０    ・・・  ハウジング
２１    ・・・  取付ベース部
２１ａ  ・・・  第１のボルト孔
２１ｂ  ・・・  第２のボルト孔
２１ｃ  ・・・  ガイド部
２２    ・・・  嵌合部
２２ａ  ・・・  収容枠部
２２ｂ  ・・・  底部
２２ｃ  ・・・  収容空間
２２ｄ  ・・・  スペーサ保持部
２２ｅ  ・・・  ガイド部
２２ｆ  ・・・  移動規制部
２３    ・・・  貫通孔
２４    ・・・  配置空間
２５    ・・・  信号用ハウジング保持部
３０    ・・・  コンタクト
３１    ・・・  第１部分
３２    ・・・  第２部分
３２ａ  ・・・  ボルト孔
４０    ・・・  信号用ハウジング
４０ａ  ・・・  取付バネ部
４１    ・・・  ナット
４２    ・・・  ガスケット
４３    ・・・  スペーサ部材
４４    ・・・  第１のボルト
４５    ・・・  第２のボルト
５０    ・・・  収容ラック
５１    ・・・  取付パネル（取付対象物）
５２    ・・・  フレーム
５３    ・・・  電池ユニット収容部
５４    ・・・  ブスバー
５５    ・・・  信号線（電線）
６０    ・・・  電池側コネクタ（接続対象物）
６１    ・・・  第１の電池側ハウジング
６２    ・・・  第２の電池側ハウジング
７０    ・・・  電池ユニット
７１    ・・・  ケーシング
７２    ・・・  バッテリ
７３    ・・・  電池側ブスバー
Ｘ  ・・・  第１方向（挿入方向）
Ｙ  ・・・  第２方向
Ｚ  ・・・  第３方向
【要約】
【課題】取付対象物からコネクタを取り外すことなく、コンタクトの交換作業を簡便に達成し、省スペース化を実現するコネクタおよび収容ラックを提供すること。
【解決手段】取付対象物５１に固定されるハウジング２０と、コンタクト３０とを備え、ハウジング２０は、取付ベース部２１と、取付ベース部２１より正面側に配置される嵌合部２２と、嵌合部２２の底部２２ｂに形成された貫通孔２３と、貫通孔２３に連通するとともにハウジング２０の側面側で外部に開口する配置空間２４とを有し、コンタクト３０は、第１部分３１と、第１部分３１に連なる第２部分３２とを一体に有し、貫通孔２３および配置空間２４は、コンタクト３０をハウジング２０の側面から配置空間２４を通してハウジング２０内に挿入することで、コンタクト３０をハウジング２０内の所定位置に配置させることが可能な大きさで形成されているコネクタ１０。
【選択図】図４【図１】
0005112544.tif 000002
【図２】
0005112544.tif 000003
【図３】
0005112544.tif 000004
【図４】
0005112544.tif 000005
【図５】
0005112544.tif 000006
【図６】
0005112544.tif 000007
【図７】
0005112544.tif 000008
【図８】
0005112544.tif 000009
【図９】
0005112544.tif 000010
【図１０】
0005112544.tif 000011